(57)【要約】複合ボウル（１０）は継ぎ目のない一体のステンレススチール製の内側本体を有し、この本体は、可撓性及び弾性摩擦材料から形成されたカバー又は外側本体（２０）を備えている。外側本体（２０）は、ボウルのリムの周りに拡大ビード（２６）を有し、ステンレススチール製の内側本体（１１）は、ビードの周りで巻かれている。図１は、複合ボウルの側面図を示している。
2004504988.tif 000002
【特許請求の範囲】
【請求項１】
外面を有し、直立した周囲側壁を有する頂部が開放した容器を形成する剛性かつ無孔性の内側本体を備え、前記側壁が、前記内側本体の周囲のまわりに延びる上方リップを形成する、側方外側に突出するフランジを有するとともに、前記上方リップが、下方に延びかつ前記側壁に向かって内側に戻って、溝を形成しており、また、前記内側本体の前記外面をカバーして該外面に固定された可撓性弾性材料の外側本体を備え、その外側本体が前記溝を埋める周辺ビードを有している複合容器。
【請求項２】
前記内側本体が金属で形成されている請求項１に記載の容器。
【請求項３】
前記側壁が曲線的である請求項１に記載の容器。
【請求項４】
前記内側本体が曲線的な底部を有する請求項１に記載の容器。
【請求項５】
前記外側本体がほぼ平坦な底部部分を備えた外面を有する請求項４に記載の容器。
【請求項６】
前記外側本体が可変の厚さを有する請求項１に記載の容器。
【請求項７】
前記外側本体が摩擦材料からつくられている請求項１に記載の容器。
【請求項８】
前記溝は、横断面において一部が円形である請求項１に記載の容器。
【請求項９】
前記側壁は、水平方向の断面で円形である請求項１に記載の容器。
【請求項１０】
外面を有し、直立した周囲側壁を有する頂部が開放した容器を形成するとともに、前記側壁が上端部分を有している剛性かつ無孔性の内側本体と、
前記内側本体の外面をカバーして該外面に固定された可撓性かつ弾性材料の外側本体とを有し、
前記外側本体は、その上端で周囲全体に沿って延びている厚い側方外側に突出したビードを有し、前記内側本体の前記上端部分は、ビードの周りを包囲し、該ビードを実質的にカバーするように該ビードに固定されている複合容器。
【請求項１１】
前記ビードは、横断面がほぼ円形である請求項１０に記載の容器。
【請求項１２】
前記外側本体が摩擦材料からつくられている請求項１０に記載の容器。
【請求項１３】
前記外側本体が可変の厚さを有する請求項１０に記載の容器。
【請求項１４】
前記外側本体がほぼ平坦な底部部分を有する外面を有している請求項１０に記載の容器。
【請求項１５】
前記内側本体が曲線状の底部を有する請求項１４に記載の容器。
【請求項１６】
前記内側本体が金属から形成されている請求項１０に記載の容器。
【請求項１７】
前記内側本体の上端部分が、前記ビードと前記外側本体の残りの部分との間の接合点で終結している請求項１０に記載の容器。
【発明の詳細な説明】
【０００１】
本発明は、調理用容器、特に混合ボウルに関する。
【０００２】
（発明の背景）
混合ボウルは、ガラス、セラミック、金属等を含む種々の異なる材料から形成される。このようなボウルは、一般に異なる位置で使用される。電気ミキサ等と共に使用するような１つの位置において、ボウルは、一般に平らな台の上に直立位置に、ボウルの中心軸線がほぼ垂直方向になるように配置される。ハンドミキサ又はビーター、泡立て器等と共に使用されるとき、ボウルの開放口に撹拌器具又は混合器具を入れ、その操作を容易にするために、ボウルは一般に傾けられる。この目的のために、ユーザーは、通常、一方の手で混合器具を操作しながら他方の手でボウルの縁部を持ってボウルを傾ける。
【０００３】
一般に、混合ボウルは、円滑な外面を有するほぼ半球状であり、この外面は使用中に下の支持面に沿ってすべりスライドする傾向がある。また、そのようなボウルは、特に使用者の手が濡れているときに、しっかりと掴むことが困難である。
【０００４】
これらの欠点を解消するために、支持面に沿ってすべることを防止するために可撓性のすべり防止リング又は底部部分を有するプラスチック材料から形成されたボウルを提供することが知られている。また、ボウルは、把持が容易になるように拡大リムフランジ又はハンドルを備えている。ハイベルグ（Ｈｅｉｂｅｒｇ）等に付与された米国特許第５，１６９，０２３号は、同時成形によって形成された内側剛性プラスチック殻体及び外側弾性殻体を備えた複合ボウルを開示している。しかしながら、ボウルのプラスチック材料は、すべての用途には適していない。
【０００５】
（発明の概要）
本発明の出願は、追加の構造体又は作動上の利益を提供しながら、従来のボウルの欠点を解消する改良された複合混合ボウルを開示する。
【０００６】
１つの特徴は、簡単で経済的な構造であり、しかも丈夫で人間工学的に設計された上述したタイプのボウルを提供することである。
【０００７】
他の特徴は、独得の金属／エラストマーを有する複合構造を有する前述したタイプのボウルを提供することである。
【０００８】
特に、外面を有し、直立した周囲側壁を有する頂部が開放した容器を形成する無孔性かつ剛性の内側本体を備え、前記側壁が、前記内側本体の周囲のまわりに延びる上方リップを形成する、側方外側に突出するフランジを有するとともに、前記リップが、下方に延びかつ前記側壁に向かって内側に戻って溝を形成しており、また、前記内側本体の前記外面をカバーして該外面に固定された可撓性弾性材料の外側本体を備え、その外側本体が前記溝を埋める周縁ビードを有している複合容器が提供される。
【０００９】
保護されるべき主題の理解を容易にする目的で添付した図面の実施形態を参照しながらそれに関連する次の説明を考慮すれば、保護されるべき主題、その構造、動作、及び利点が容易に理解されるであろう。
【００１０】
（好適実施形態の詳細な説明）
図面を参照すると、ステンレススチールのような適宜の金属から形成されたシームレスの一体の（即ち一部材からなる）内側本体１１を含み、全体が符号１０で示された複合ボウルが示されている。内側本体１１は、一般に一部が球状をしており、内面１２及び外面１３を有しており、本体１１は、曲線的な底部１４と曲線的な直立した側壁１５とを画成している。側壁１５は、その側壁の周縁に延びていると共にこのボウルの上部に広い開放口を画成している上端部分又はフランジ１６を有する。このフランジ１６は、側方外側に、次に下方に曲がって管状リップ１７を画成しており、この管状リップ１７は、側壁１５の外面からわずかな距離間隔を置いている遠位縁（即ち先端縁）１８で終結して溝１９を形成しており、このフランジ１６は、横断面で一部が円形である。
【００１１】
また、ボウル１０は、商品名サントプレン（Ｓａｎｔｏｐｒｅｎｅ）として販売されているタイプの弾性材料のような可撓性弾性摩擦材料からつくられた外側本体２０を有し、外側本体２０は、内側本体１１の外面１３に接着され、それをカバーしている。この外側本体２０は、外面２３を有し、内側本体底部１４をカバーする底部部分２４と、内側本体側壁１５をカバーする側方部分２５とを有する。側方部分２５は、上端の周縁ビード２６で終結しており、このビード２６は、溝１９を埋め、横断面がほぼ円形であり、フランジ１６の縁部１８は、ビード２６と外側本体サイド部分２５の残りの部分との間の接合部に配置されている。外側本体２０の外面２３は、ほぼ平坦な底面部分２７を有する。外側本体２０の厚さは変化し内側本体の底部１４の周囲に厚い領域２８を有する。外側本体２０は、接着や溶接等の適宜な手段で内側本体１１に固着される。そのように形成された複合ボウル１１は、食品等を受けるための容器２９を形成する。
【００１２】
複合ボウル１０は、ステンレススチール製の内側本体１１が剛性、耐久性、汚れに対する耐性、洗浄容易性等、ステンレススチール製の台所用品の所望の品質を提供する混合ボウルとして特に有用である。外側本体２０は弾性摩擦面を形成し、この弾性摩擦面は、下の支持面に沿ってボウルがスライドすること、及びすべることを防止し、ユーザーが手で把持することを容易にし、使用中にボウルにクッションを与え、下の支持面と安定してすべらないように係合し、使用中にボウルを傾けることを容易にする。ボウル１０は、予め形成された内側本体１１の上に外側本体２０を射出成形することによって容易に形成することができる。
【００１３】
詳細な説明及び添付図面で説明した事項は、例示的なものであり、制限することを目的とするものではない。特定の実施形態を示し説明したが、本発明の広い概念から逸脱せずに変更改造を行うことは当業者には明らかであろう。従来技術に基づいて適切な側面で見るとき本発明の実際の範囲は、特許請求の範囲によってのみ定義されるものである。
【図面の簡単な説明】
【図１】
複合ボウルの側面図である。
【図２】
図１のボウルの平面図である。
【図３】
図１の３−３に沿った断面図である。
【図４】
図３の一部の拡大部分断面図である。
【国際公開パンフレット】
2004504988.tif 000003
2004504988.tif 000004
2004504988.tif 000005
2004504988.tif 000006
2004504988.tif 000007
2004504988.tif 000008
2004504988.tif 000009
2004504988.tif 000010
2004504988.tif 000011
【手続補正書】
【提出日】平成14年9月9日(2002.9.9)
【手続補正１】
【補正対象書類名】明細書
【補正対象項目名】特許請求の範囲
【補正方法】変更
【補正の内容】
【特許請求の範囲】
【請求項１】
外面を有し、直立した周囲側壁を有する頂部が開放した容器を形成する剛性かつ無孔性の内側本体を備え、前記側壁が、前記内側本体の周囲のまわりに延びる上方リップを形成する、側方外側に突出するフランジを有するとともに、前記上方リップが、下方に延びかつ前記側壁に向かって内側に戻って、溝を形成しており、また、前記内側本体の前記外面を完全にカバーして該外面に固定された可撓性弾性材料の外側本体を備え、その外側本体が前記溝を埋める増大した厚さの単一層の周辺ビードを有している複合容器。
【請求項２】
前記内側本体が金属で形成されている請求項１に記載の容器。
【請求項３】
前記側壁が曲線的である請求項１に記載の容器。
【請求項４】
前記内側本体が曲線的な底部を有する請求項１に記載の容器。
【請求項５】
前記外側本体がほぼ平坦な底部部分を備えた外面を有する請求項４に記載の容器。
【請求項６】
前記外側本体が可変の厚さを有する請求項１に記載の容器。
【請求項７】
前記外側本体が摩擦材料からつくられている請求項１に記載の容器。
【請求項８】
前記溝は、横断面において一部が円形である請求項１に記載の容器。
【請求項９】
前記側壁は、水平方向の断面で円形である請求項１に記載の容器。
【請求項１０】
外面を有し、直立した周囲側壁を有する頂部が開放した容器を形成するとともに、前記側壁が上端部分を有している剛性かつ無孔性の内側本体と、
前記内側本体の外面を完全にカバーして該外面に固定された可撓性かつ弾性材料の外側本体とを有し、
前記外側本体は、その上端で周囲全体に沿って延びている厚い側方外側に突出した単一層のビードを有し、前記内側本体の前記上端部分は、ビードの周りを包囲し、該ビードを実質的にカバーするように該ビードに固定されている複合容器。
【請求項１１】
前記ビードは、横断面がほぼ円形である請求項１０に記載の容器。
【請求項１２】
前記外側本体が摩擦材料からつくられている請求項１０に記載の容器。
【請求項１３】
前記外側本体が可変の厚さを有する請求項１０に記載の容器。
【請求項１４】
前記外側本体がほぼ平坦な底部部分を有する外面を有している請求項１０に記載の容器。
【請求項１５】
前記内側本体が曲線状の底部を有する請求項１４に記載の容器。
【請求項１６】
前記内側本体が金属から形成されている請求項１０に記載の容器。
【請求項１７】
前記内側本体の上端部分が、前記ビードと前記外側本体の残りの部分との間の接合点で終結している請求項１０に記載の容器。
【請求項１８】
前記内側本体が、一部材からなる構造のものであり、前記容器の内容物と接触するように配置された内面を有している請求項１に記載の容器。
【請求項１９】
前記内側本体が、一部材からなる構造のものであり、前記容器の内容物と接触するように配置された内面を有している請求項１０に記載の容器。
【国際調査報告】
2004504988.tif 000012